(57)【要約】【課題】  カラー両面読み取り時の裏写りを防止することができる画像読取装置を提供する。【解決手段】  光源１１と等倍結像レンズ１２と光電変換素子１３からなる密着型イメージセンサ１を原稿の表裏面に対向配置させた画像読取装置であって、光源１１と光電変換素子１３をＲＧＢ各色毎に有し、それぞれライン順次で原稿の両面の画像を同時に読み取る。【選択図】        図１
2007166213.tif 000002
【特許請求の範囲】
【請求項１】
光源と等倍結像レンズと光電変換素子からなる密着型イメージセンサを原稿の表裏面に対向配置させた画像読取装置であって、前記光源と光電変換素子をＲＧＢ各色毎に有し、それぞれライン順次により原稿の両面の画像を同時に読み取ることを特徴とする画像読取装置。
【請求項２】
請求項１に記載の画像読取装置において、原稿の両面の画像を同時に読み取る時、表面側と裏面側で読み取る色を異ならせることを特徴とする画像読取装置。
【請求項３】
請求項１に記載の画像読取装置において、原稿の表裏の一方が２色で他方が１色であり、双方に共通の色がない組み合わせにより読み取り動作を行うことを特徴とする画像読取装置。
【請求項４】
請求項１に記載の画像読取装置において、モノクロ原稿読み取り時には、表面Ｒ裏面Ｂ、表面Ｂ裏面Ｒの組み合わせにより読み取り動作行うことを特徴とする画像読取装置。
【発明の詳細な説明】
【技術分野】
【０００１】
本発明は、等倍光学系センサによるライン順次密着型イメージセンサを用いて両面同時読み取りが可能な画像読取装置に関する。
【背景技術】
【０００２】
従来、ファクシミリ装置やコピー機等の画像読取装置を備えた画像処理機器においては、画像データが記録された原稿表面の読み取りに際し、裏面に記録された画像データが透けて表面のデータとともに読み取られてしまう、いわゆる裏写りが発生する問題点がある。
このような問題は、表裏両面同時読み取り方式のコピー機の普及や、使用済みの用紙の裏面再利用等により表裏両面に画像データが記録された原稿の取り扱い頻度が増すに伴って顕著になってきている。特に、両面同時読み取り方式では、反対側の照明が透過してくるため影響が大きい。
このため、両面同時読み取り方式の場合、反対側の照明の影響がでないように、表裏の読み取り位置を大きく離す構成のものが多い。しかしながら、そのような構成をとった場合、表裏の画像読み取り位置の差だけ１枚の原稿を読み取るのに必要な時間が増えるため、生産性を犠牲にすることに繋がる。また、ある程度表裏の読み取り位置を離した場合でも、特に高輝度な照明系が必要となる高速な機器などでは、反対側の照明の影響が少なからず懸念されるし、両面とも密着型イメージセンサを用いるような場合には、その利点である小型化の効果を損なってしまうことが考えられる。
【０００３】
両面同時読み取り時の裏写り対策として、読み取った両面のデータを比較して補正する技術も提案されているが、様々な原稿のパターンがあることを考えると、補正の精度や、誤補正による異常画像の発生が懸念されるため、このような補正策ではなく根本的な防止策が提案されることが望ましい。
裏写り防止の観点で特許文献１では、現行の表面と裏面で光源の発光波長分布および光電変換素子の分光感度特性を異ならせることで裏写りを防止する技術が提案されている。この技術だと、裏面側の光源からの透過光があっても、表面側の光電変換素子の分光感度特性は表面側の光源の分光特性に感度をもつ特性になっているので、透過光による影響を排除することができる。
【特許文献１】特開２０００−１８８６６８公報
【発明の開示】
【発明が解決しようとする課題】
【０００４】
しかしながら、上記の技術によると、原稿がモノクロの場合には対応できるが、原稿がカラーの場合には原稿情報を読み取れなくなってしまう問題がある。現状一般的にあるカラー密着型イメージセンサを用いて、特許文献１記載の技術をカラー原稿読み取りに用いようとすると、モノクロ時と同じ効果を得ることはできない。
例えば、光源は１種類で光電変換素子をＲＧＢ毎にもつようなセンサでは、光源がＲＧＢの各色をカバーする分光特性をもつために裏面からの影響を受けてしまい、また光源をＲＧＢの各色毎にもち、ＲＧＢ全てに感度をもつ光電変換素子を用い、光源をＲＧＢ順番に点灯させるライン順次方式のセンサでも、やはり光電変換素子がＲＧＢ全てに感度をもつことから、裏面からの光源の影響を必ず受けてしまうことになる。
本発明はこのような背景に鑑みてなされたもので、カラー両面読み取り時の裏写りを防止することができる画像読取装置を提供することを目的とするものである。
【課題を解決するための手段】
【０００５】
上記目的を達成するために、請求項１記載の発明は、光源と等倍結像レンズと光電変換素子からなる密着型イメージセンサを原稿の表裏面に対向配置させた画像読取装置であって、前記光源と光電変換素子をＲＧＢ各色毎に有し、それぞれライン順次により原稿の両面の画像を同時に読み取ることを特徴とする。
請求項２記載の発明は、請求項１に記載の画像読取装置において、原稿の両面の画像を同時に読み取る時、表面側と裏面側で読み取る色を異ならせる画像読取装置を主要な特徴とする。
請求項３記載の発明は、請求項１に記載の画像読取装置において、原稿の表裏の一方が２色で他方が１色であり、双方に共通の色がない組み合わせにより読み取り動作を行うことを特徴とする。
請求項４記載の発明は、請求項１に記載の画像読取装置において、モノクロ原稿読み取り時には、表面Ｒ裏面Ｂ、表面Ｂ裏面Ｒの組み合わせにより読み取り動作行うことを特徴とする。
【発明の効果】
【０００６】
本発明は、光源と等倍結像レンズと光電変換素子からなる密着型イメージセンサを原稿の表裏面に対向配置させた画像読取装置であって、光源と光電変換素子をＲＧＢ各色毎に有し、それぞれライン順次で原稿の両面の画像を同時に読み取るので、カラー両面読み取り時の裏写りを防止することができる。
【発明を実施するための最良の形態】
【０００７】
以下、本発明の実施形態を図面に従って説明する。
図１は本発明の実施形態に係る画像読取装置の構成図である。本画像読取装置は、原稿の表裏面に密着型イメージセンサ１を対向配置させて構成されている。密着型イメージセンサ１は光源１１と、等倍結像レンズ１２と、光電変換素子(イメージセンサ)１３とを備える。
本発明の画像読取装置では、原稿の両面から裏写りを防止して画像を読み取るために、光源１１と光電変換素子１３をＲＧＢ各色毎にもつ構造となっている。光源１１はＬＥＤなどを用いてＲＧＢが個別に点灯消灯可能な構成とする。その分光特性は図２に示すようなＲＧＢそれぞれの特性が重複しないものが理想である。
光源１１による原稿の反射光は、等倍結像レンズ１２により、光電変換素子１３上に結像する。光電変換素子１３も光源１１と同様にＲＧＢそれぞれ理想的には図３のような特性で、ＲＧＢ個別に電荷の蓄積と転送を制御することができる。
本発明の画像読取装置の構成では、原稿の表面側と裏面側にそれぞれ、原稿照明用の光源１１と光電変換素子１３をＲＧＢ各色毎に備えているので、ＲＧＢを別々のタイミングで読み取るライン順次方式でも読み取れるし、場合によってはＲＧＢ全ての光源とセンサを同時に動作させることも可能となっている。
原稿が片面であった場合には、反対面の光源は点灯しないので、反対面からの透過光による裏写りを気にすることなく、ＲＧＢ全ての光源とセンサを同時に動作させることによって、カラー画像読み取りにおけるライン順次方式の１／３の読み取り時間で片面のみカラー読み取り動作を行うといった使い方をすることも可能である。
【０００８】
＜実施例１＞
次に実施例の動作について、図４を参照しながら説明する。カラー読み取りでは、１蓄積時間毎に赤ＬＥＤ(ＬＥＤｒ)、緑ＬＥＤ(ＬＥＤｇ)、青ＬＥＤ(ＬＥＤｂ)を交互に点灯する。本発明では原稿の表面と裏面で同時に点灯するＬＥＤの色を異ならせているのが特徴である。また、ＬＥＤ点灯時にはそれぞれの色のＬＥＤに対応した（感度をもつ）光電変換素子１３の出力のみが有効になるようにする。
これにより３つの光電変換素子１３からそれぞれ、Ｒ画像信号、Ｇ画像信号、Ｂ画像信号が線順次形式で出力されることになる。後段の画像処理部では、各色３つの光電変換素子１３からのデータを、１ライン分のカラーデータに合成する。よって、３蓄積時間で、１ライン分のカラー画像データを形成する。
光源１１と光電変換素子１３の分光特性は、図２、図３のようになっているので、上述のように原稿の表面と裏面で同時に点灯させる色を異ならせることによって、反対面側からの透過光の影響を無くすことができるので、反対面からの透過光による裏写りを防止することができる。
【０００９】
＜実施例２＞
実施例２の動作について、図５を参照しながら説明する。前記の１蓄積時間毎に赤ＬＥＤ、緑ＬＥＤ、青ＬＥＤを交互に点灯する方式とは異なり、ここでは、表面を赤ＬＥＤ、青ＬＥＤ同時点灯時には裏面を緑ＬＥＤのみ点灯し、次の蓄積時間には、表面を緑ＬＥＤのみ点灯、裏面を赤ＬＥＤ、青ＬＥＤ同時点灯させる。点灯させるＬＥＤの組み合わせは、赤緑／青、緑青／赤の組み合わせでも構わない。
また、光電変換素子１３についても、表面側は表面側で点灯している色に対応した（感度をもつ）センサのみが有効になるため、前記の点灯パターンの場合、赤と青に対応した（感度を持つ）光電変換素子１３の出力が同時に有効になり、反対側では緑に対応した（感度を持つ）光電変換素子１３の出力のみが有効になる。
この動作を表裏で交互に繰り返すことにより、２蓄積時間で、１ライン分のカラー画像データが取得できるので、後段の画像処理部で２蓄積時間で得た３つの色のデータを合成することで１ライン分のカラー画像データを形成できることになる。光源１１と光電変換素子１３の分光特性は、図２、図３のようになっているので、２色分の光源を同時に点灯させて残り１色分を反対側で点灯させることになり、反対側の透過光の影響を受けることは無い。
光源１１をＲＧＢの各色毎にもち、ＲＧＢ全てに感度をもつ光電変換素子１３を用い、光源１１をＲＧＢ順番に点灯させるライン順次方式に比べて、裏写りが押えられる他に、１ライン分の画像データを得る時間が２／３に短縮できるので、読み取り時間短縮の効果も得ることができる。
【００１０】
＜実施例３＞
次に実施例３の動作について、図６を参照しながら説明する。モノクロ読み取り動作を行う場合は、表面と裏面それぞれの面で１色分のデータだけを用いるので、１色分のＬＥＤとそれに対応する光電変換素子１３のみから１蓄積時間に１ライン分のモノクロ画像データを取得する。
この時、前記のカラー読み取り時の動作と同様に、光源１１と光電変換素子１３の分光特性は、図２、図３のようになっているので、表面と裏面で同時に点灯させる色を異ならせることによって、反対面側からの透過光の影響を無くすことができる。
【図面の簡単な説明】
【００１１】
【図１】本発明の実施形態に係る画像読取装置の構成図である。
【図２】光源の分光特性を示す図である。
【図３】光電変換素子の分光特性を示す図である。
【図４】ＬＥＤの回路、ＬＥＤの点灯タイミングと光電変換素子の出力タイミングの第１例を示す図である。
【図５】ＬＥＤの点灯タイミングと光電変換素子の出力タイミングの第２例を示す図である。
【図６】ＬＥＤの点灯タイミングと光電変換素子の出力タイミングの第３例を示す図である。
【符号の説明】
【００１２】
１  密着型イメージセンサ、１１  光源、１２  等倍結像レンズ、１３  光電変換素子
【図１】
2007166213.tif 000003
【図２】
2007166213.tif 000004
【図３】
2007166213.tif 000005
【図４】
2007166213.tif 000006
【図５】
2007166213.tif 000007
【図６】
2007166213.tif 000008